(57)【要約】【課題】パンツ型おむつにおいて腹側胴回り部のフィット性を向上させる。【解決手段】互いに交差する上下方向と、横方向と、厚さ方向と、を有し、液体を吸収する吸収性本体（１０）と、前記吸収性本体（１０）の長手方向の一端部に位置する腹側胴回り部（３）と、前記吸収性本体の長手方向の他端部に位置する背側胴回り部（４）と、備えたパンツ型使い捨ておむつ（１）であって、前記腹側胴回り部（３）の下端部には、前記横方向に伸縮可能な弾性部材（３６ｌｇ）が設けられ、前記弾性部材（３６ｌｇ）は、前記横方向における外側から内側に向かって斜め上方に傾斜する傾斜部（３６ｌｇｃ）を、前記厚さ方向において前記吸収性本体（１０）と重複する領域に少なくとも有しており、前記横方向において、前記吸収性本体（１０）の中央部では前記弾性部材（３６ｌｇ）は非連続である。【選択図】図１
2018099439.tif 000002
【特許請求の範囲】
【請求項１】
互いに交差する上下方向と、横方向と、厚さ方向と、を有し、
液体を吸収する吸収性本体と、
前記吸収性本体の長手方向の一端部に位置する腹側胴回り部と、
前記吸収性本体の長手方向の他端部に位置する背側胴回り部と、
を備えたパンツ型使い捨ておむつであって、
前記腹側胴回り部の下端部には、前記横方向に伸縮可能な弾性部材が設けられ、
前記弾性部材は、前記横方向における外側から内側に向かって斜め上方に傾斜する傾斜部を、前記厚さ方向において前記吸収性本体と重複する領域に少なくとも有しており、
前記横方向において、前記吸収性本体の中央部では前記弾性部材は非連続である、
ことを特徴とするパンツ型使い捨ておむつ。
【請求項２】
請求項１に記載のパンツ型使い捨ておむつであって、
前記吸収性本体は、液体吸収性の吸収性コアを備え、
前記弾性部材は、前記厚さ方向において前記吸収性コアと重複する部分を有している、ことを特徴とするパンツ型使い捨ておむつ。
【請求項３】
請求項２に記載のパンツ型使い捨ておむつであって、
前記吸収性コアの表面には、複数の点状圧搾部が設けられており、
複数の前記点状圧搾部は、前記上下方向において均等なピッチで配置されている、ことを特徴とするパンツ型使い捨ておむつ。
【請求項４】
請求項２または３のいずれかに記載のパンツ型使い捨ておむつであって、
前記吸収性コアの表面には、複数の点状圧搾部が設けられており、
複数の前記点状圧搾部の前記横方向において、第１のピッチと、前記第１のピッチとは長さが異なる第２のピッチを有して配置されている、ことを特徴とするパンツ型使い捨ておむつ。
【請求項５】
請求項２〜４のいずれかに記載のパンツ型使い捨ておむつであって、
前記吸収性コアの表面には、複数の点状圧搾部が設けられており、
前記吸収性コアは、単位面積あたりに配置されている前記点状圧搾部の数が多い部分と少ない部分とを有する、ことを特徴とするパンツ型使い捨ておむつ。
【請求項６】
請求項１〜５のいずれかに記載のパンツ型使い捨ておむつであって、
前記腹側胴回り部は、前記弾性部材が配置されているよりも前記上下方向の上側の領域に、前記横方向に伸縮可能な胴回り弾性部材を有し、
前記胴回り弾性部材の少なくとも一部は、前記横方向の中央部で非連続であり、
前記横方向において、前記弾性部材の内側端の位置と、前記胴回り弾性部材の内側端の位置とが異なる、ことを特徴とするパンツ型使い捨ておむつ。
【請求項７】
請求項６に記載のパンツ型使い捨ておむつであって、
前記腹側胴回り部は、
前記傾斜部を接合する傾斜部接着領域と、
前記胴回り弾性部材を接合し、前記傾斜部接着領域とは重複していない胴回り弾性部材接着領域と、
を有する、ことを特徴とするパンツ型使い捨ておむつ。
【請求項８】
請求項６または７のいずれかに記載のパンツ型使い捨ておむつであって、
前記吸収性本体は、液体吸収性の吸収性コアを備え、
前記胴回り弾性部材は、前記厚さ方向において吸収性コアとの重複部分を有していない、ことを特徴とするパンツ型使い捨ておむつ。
【請求項９】
請求項１〜８のいずれかに記載のパンツ型使い捨ておむつであって、
前記弾性部材は、前記横方向に沿って左右一対設けられており、
前記傾斜部の前記横方向に対する傾斜角度が左右で異なる、ことを特徴とするパンツ型使い捨ておむつ。
【請求項１０】
請求項１〜９のいずれかに記載のパンツ型使い捨ておむつであって、
前記弾性部材は、前記横方向に沿って左右一対設けられており、
前記弾性部材は、前記横方向に沿って配置された直線部、及び、前記傾斜部と前記直線部との間が所定の曲率で湾曲した湾曲部を有し、
前記湾曲部の曲率が左右で異なる、ことを特徴とするパンツ型使い捨ておむつ。
【発明の詳細な説明】
【技術分野】
【０００１】
本発明は、パンツ型使い捨ておむつに関する。
【背景技術】
【０００２】
従来、おむつ等の吸収性物品として、排泄物等を吸収する吸収性本体と、該吸収性本体の長手方向の両端部にそれぞれ位置する胴回りベルト部（胴回り部）とによって構成されるパンツ型の使い捨ておむつが知られている。このような使い捨ておむつ（おむつ）では、前後胴回り部に糸ゴム等の弾性部材が設けられており、該弾性部材の伸縮性が作用することにより、おむつ着用時における胴回りのフィット性を高めている。例えば、特許文献１には、腹側胴回り部の上下方向の下側（すなわち脚回り側）の端部に、横方向に連続する弾性部材が吸収性本体と重複する部分を有するように設けられたおむつが開示されている。
【先行技術文献】
【特許文献】
【０００３】
【特許文献１】ＷＯ２０１６／９９３６２号公報
【発明の概要】
【発明が解決しようとする課題】
【０００４】
特許文献１のおむつによれば、着用者の胴回りに沿って全体的に弾性部材による伸縮力を作用させることができる。しかし、腹側胴回りベルト部（胴回り部）において弾性部材と吸収性本体とが重複する部分では、吸収性本体を横方向に収縮させる力が働くため、フィット性が悪化したり、排泄物の横漏れが生じたりするおそれがある。また、特許文献１のおむつでは、腹側胴回り部の横方向にのみ弾性部材による伸縮性が作用していることから、おむつの着用者が身体を動かした際（例えば前傾姿勢を取った際）に、腹側胴回り部が上下方向に収縮したり捲れが生じたりしてしまう場合があり、良好なフィット性を確保することが難しい。
【０００５】
本発明は、上記のような従来の問題に鑑みてなされたものであって、その目的は、パンツ型おむつにおいて腹側胴回り部のフィット性を向上させることにある。
【課題を解決するための手段】
【０００６】
上記目的を達成するための主たる発明は、互いに交差する上下方向と、横方向と、厚さ方向と、を有し、液体を吸収する吸収性本体と、前記吸収性本体の長手方向の一端部に配置された腹側胴回り部と、前記吸収性本体の長手方向の他端部に配置された背側胴回り部と、を備えたパンツ型使い捨ておむつであって、前記腹側胴回り部の下端部には、前記横方向に伸縮可能な弾性部材が設けられ、前記弾性部材は、前記横方向における外側から内側に向かって斜め上方に傾斜する傾斜部を、前記厚さ方向において前記吸収性本体と重複する領域に少なくとも有しており、前記横方向において、前記吸収性本体の中央部では前記弾性部材は非連続である、ことを特徴とするパンツ型使い捨ておむつである。
本発明の他の特徴については、本明細書及び添付図面の記載により明らかにする。
【発明の効果】
【０００７】
本発明によれば、パンツ型おむつにおいて腹側胴回り部のフィット性を向上させることができる。
【図面の簡単な説明】
【０００８】
【図１】展開かつ伸長状態であるおむつ１の平面図である。
【図２】パンツ型の状態にしたおむつ１を腹側から見た概略斜視図である。
【図３】図３Ａは、図１中のＡ−Ａ概略断面図である。図３Ｂは、図１中のＢ−Ｂ概略断面図である。
【図４】点状圧搾部１５の配置について説明する図である。
【図５】展開かつ伸長状態である腹側胴回り部３を拡大して表した平面図である。
【図６】おむつ１の着用時において弾性部材３６ｌｇによる力の作用について説明する図である。
【図７】点状圧搾部１５の配置の変形例について説明する図である。
【発明を実施するための形態】
【０００９】
本明細書及び添付図面の記載により、少なくとも以下の事項が明らかとなる。
互いに交差する上下方向と、横方向と、厚さ方向と、を有し、液体を吸収する吸収性本体と、前記吸収性本体の長手方向の一端部に配置された腹側胴回り部と、前記吸収性本体の長手方向の他端部に配置された背側胴回り部と、を備えたパンツ型使い捨ておむつであって、前記腹側胴回り部の下端部には、前記横方向に伸縮可能な弾性部材が設けられ、前記弾性部材は、前記横方向における外側から内側に向かって斜め上方に傾斜する傾斜部を、前記厚さ方向において前記吸収性本体と重複する領域に少なくとも有しており、前記横方向において、前記吸収性本体の中央部では前記弾性部材は非連続である、ことを特徴とするパンツ型使い捨ておむつ。
【００１０】
このようなパンツ型使い捨ておむつによれば、弾性部材の傾斜部の伸縮力によって着用時において腹側胴回り部を上下方向に拡幅する力が作用し、撓みや捲れが生じにくくなる。これにより、腹側胴回り部のフィット性を向上させることができる。また、腹側胴回り部がしっかりとフィットすることにより、吸収性本体をより強く支持することができるようになり、吸収性本体が排泄物を吸収して重量が増加した場合であっても、該吸収性本体が下方に垂れ下がるのを抑制することができる。
【００１１】
かかるパンツ型使い捨ておむつであって、前記吸収性本体は、液体吸収性の吸収性コアを備え、前記弾性部材は、前記厚さ方向において前記吸収性コアと重複する部分を有している、ことが望ましい。
【００１２】
このようなパンツ型使い捨ておむつによれば、吸収性本体に加えて、吸収性コアを横方向及び上下方向に拡幅させることが可能となる。これにより、吸収性コアが着用者の身体にフィットしやすくなり、排泄物の漏れ等を効率的に抑制することができる。
【００１３】
かかるパンツ型使い捨ておむつであって、前記吸収性コアの表面には、複数の点状圧搾部が設けられており、複数の前記点状圧搾部は、前記上下方向において均等なピッチで配置されている、ことが望ましい。
【００１４】
このようなパンツ型使い捨ておむつによれば、吸収性コアの長手方向について折れ曲がり基点が均等に形成されやすくなる。すなわち、おむつ着用時において、吸収性コアが長手方向に偏りなく変形しやすくなる。これにより、吸収性コアが身体の丸みに沿って無理なくフィットしやすくなる。また、弾性部材の伸縮力によって吸収性コアが拡幅されるため、折れ曲がり基点が多く形成されたとしても、余計な皺等は形成されにくく、着用者の身体にフィットしやすくなる。
【００１５】
かかるパンツ型使い捨ておむつであって、前記吸収性コアの表面には、複数の点状圧搾部が設けられており、複数の前記点状圧搾部の前記横方向において、第１のピッチと、前記第１のピッチとは長さが異なる第２のピッチを有して配置されている、ことが望ましい。
【００１６】
このようなパンツ型使い捨ておむつによれば、前記吸収性コアの横方向において、点状圧搾部のピッチが狭く折れ曲がり基点が密に形成される部分と、点状圧搾部のピッチが広く折れ曲がり基点が疎に形成される部分とが混在することになる。したがって、吸収性コアを集中的に変形させたり、平面形状から変形しにくくしたりすることが可能となり、着用者の身体形状に合わせて平面を維持しつつ横方向に自在に変形しやすくすることができる。これにより、吸収性コアがより身体にフィットしやすくなる。
【００１７】
かかるパンツ型使い捨ておむつであって、前記吸収性コアの表面には、複数の点状圧搾部が設けられており、前記吸収性コアは、単位面積あたりに配置されている前記点状圧搾部の数が多い部分と少ない部分とを有する、ことが望ましい。
【００１８】
このようなパンツ型使い捨ておむつによれば、点状圧搾部の配置密度が高い部分の方が、配置密度が低い部分よりも折れ曲がり基点が形成されやすく、同一平面状に変形しやすい領域と変形しにくい領域とを有することにより、吸収性コアが特定の方向に変形癖が付くことが抑制される。すなわち、吸収性コアの変形が不規則になり、身体の複雑な曲面に沿いやすくなる。これにより、おむつ着用時において、着用者の身体に対して吸収性コアを面でフィットさせやすくすることができる。
【００１９】
かかるパンツ型使い捨ておむつであって、前記腹側胴回り部は、前記弾性部材が配置されているよりも前記上下方向の上側の領域に、前記横方向に伸縮可能な胴回り弾性部材を有し、前記胴回り弾性部材の少なくとも一部は、前記横方向の中央部で非連続であり、前記横方向において、前記弾性部材の内側端の位置と、前記胴回り弾性部材の内側端の位置とが異なる、ことが望ましい。
【００２０】
このようなパンツ型使い捨ておむつによれば、横方向において胴回り弾性部材による収縮力が作用する範囲と、弾性部材による収縮力が作用する範囲を調整することが可能となる。これにより、腹側胴回り部が下側に引っ張られる際の力の作用点や大きさを変更し、着用対象者のフィット感を向上させることができる。
【００２１】
かかるパンツ型使い捨ておむつであって、前記腹側胴回り部は、前記傾斜部を接合する傾斜部接着領域と、前記胴回り弾性部材を接合し、前記傾斜部接着領域とは重複していない胴回り弾性部材接着領域と、を有する、ことが望ましい。
【００２２】
このようなパンツ型使い捨ておむつによれば、腹側胴回り弾性部材による力と、弾性部材の傾斜部による力とが互いに干渉しにくくなる。これにより、吸収性本体や腹側胴回り部が引っ張られる方向が変わってしまい、想定される拡幅効果が得られなくなったり、締め付けが局所的にきつくなったりすることを抑制しやすくなる。
【００２３】
かかるパンツ型使い捨ておむつであって、前記吸収性本体は、液体吸収性の吸収性コアを備え、前記胴回り弾性部材は、前記厚さ方向において吸収性コアとの重複部分を有していない、ことが望ましい。
【００２４】
このようなパンツ型使い捨ておむつによれば、剛性が高い吸収性コアと重複することによって、当該重複部において横方向における胴回り弾性部材の収縮量が小さくなってしまうことを抑制できる。したがって、胴回り部は横方向の広範囲に亘って収縮しやすくなり、おむつ着用時における胴回り部のフィット性が向上する。
【００２５】
かかるパンツ型使い捨ておむつであって、前記弾性部材は、前記横方向に沿って左右一対設けられており、前記傾斜部の前記横方向に対する傾斜角度が左右で異なる、ことが望ましい。
【００２６】
このようなパンツ型使い捨ておむつによれば、左右非対称に配置された弾性部材（傾斜部）によって、胴回り部に作用する力の大きさや方向を調整することが可能となる。例えば、片手が麻痺してしまっている人を着用対象者とする場合に、横方向の一方側では胴回り部を引き上げる動作を行いやすくし、横方向の他方側では胴回り部のフィット性を向上させる等、着用対象者の状況に応じて、おむつ着用時における最適なフィット性を実現しやすくすることができる。
【００２７】
かかるパンツ型使い捨ておむつであって、前記弾性部材は、前記横方向に沿って左右一対設けられており、前記弾性部材は、前記横方向に沿って配置された直線部、及び、前記傾斜部と前記直線部との間が所定の曲率で湾曲した湾曲部を有し、前記湾曲部の曲率が左右で異なる、ことが望ましい。
【００２８】
このようなパンツ型使い捨ておむつによれば、直線部による伸縮力と傾斜部による伸縮力とがスムーズに連動しやすくなる。そして、湾曲部の曲率が左右で異なることにより、胴回り部に作用する力の大きさや方向を調整することが可能となる。これにより、着用対象者の状況（例えば、片手が麻痺している人等）に応じて、おむつ着用時における最適なフィット性を実現しやすくすることができる。
【００２９】
＝＝＝実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、展開かつ伸長状態であるおむつ１の平面図である。図２は、パンツ型の状態にしたおむつ１を腹側から見た概略斜視図である。図３Ａは、図１中のＡ−Ａ概略断面図である。図３Ｂは、図１中のＢ−Ｂ概略断面図である。なお、図１における「伸長状態」とは、製品（おむつ１）を皺なく伸長させた状態、具体的には、おむつ１を構成する各部材（例えば、後述するバックシート３０等）の寸法がその部材単体の寸法と一致又はそれに近い長さになるまで伸長した状態のことを言う。
【００３０】
このおむつ１は、図２のパンツ型状態において、互いに直交する三方向として上下方向と横方向と前後方向とを有している。そして、以下では、このパンツ型状態における上下方向の一方側及び他方側のことを、それぞれ「胴回り開口側」及び「股下側」とも言い、また、前後方向の前側及び後側のことを、それぞれ「腹側」及び「背側」とも言う。
【００３１】
一方、図１の展開状態においては、おむつ１は、互いに直交する三方向として長手方向と幅方向とを有している。そして、以下では、この展開状態における長手方向の一方側及び他方側のことを、それぞれ「腹側」及び「背側」とも言う。なお、展開状態における上記の幅方向は、パンツ型状態における上記の横方向と同じ方向である。そのため、以下では、幅方向のことを「横方向」とも言う。また、展開状態の長手方向は、パンツ型状態の上下方向に沿った方向である。また、図３に示すように、上下方向（長手方向）及び横方向（幅方向）と直交する方向を厚さ方向とし、着用対象者の肌と当接する側を「肌側」とし、その反対側を「非肌側」とする。
【００３２】
また、おむつ１は、図１に示すように、長手方向において腹側胴回り部３と、背側胴回り部４と、股下部５とを有する。腹側胴回り部３は、おむつ１の着用時において着用者の腹側に位置する部分である。背側胴回り部４は、おむつ１の着用時において着用者の背側に位置する部分である。そして、腹側胴回り部３と背側胴回り部４との間に股下部５が設けられる。
【００３３】
本実施形態のおむつ１は、吸収性本体１０と、トップシート２０と、バックフィルム２５と、バックシート３０と、防漏壁５０と、を有する。そして、図１の展開状態から、吸収性本体１０の長手方向（上下方向）の所定位置ＣＬ１０を折り位置として同吸収性本体１０が二つ折りされるとともに、この二つ折りの状態において互いに対向する腹側胴回り部３及び背側胴回り部４が腹側サイドエッジ部３ｅｓ及び背側サイドエッジ部４ｅｓにて溶着や接着等の接合手段を用いて接合されると、これら胴回り部３，４同士が環状に繋がって、図２に示すような胴回り開口ＢＨ及び一対の脚回り開口ＬＨ，ＬＨが形成されたパンツ型状態のおむつ１となる。
【００３４】
吸収性本体１０は、尿等の排泄物を吸収する機能を有し、図１に示されるように平面視略長方形をなし、その長手方向をおむつ１の上下方向に沿わせつつ横方向の中央に配置されている。そして、吸収性本体１０の長手方向の一端部（腹側）にはバックシート３０等によって構成される腹側胴回り部３が位置しており、吸収性本体１０の長手方向の他端部（背側）にはバックシート３０等によって構成される背側胴回り部４が位置している。また、吸収性本体１０の横方向の両側には、防漏壁５０が設けられている。吸収性本体１０は、液体吸収性の吸収性コア１１と、同コア１１の外周面を被覆するコアラップシート１２と、を有する（図３参照）。
【００３５】
吸収性コア１１は、パルプ繊維等の液体吸収性繊維を所定形状に成形したものであり、その内部には高吸収性ポリマー（所謂ＳＡＰ）等が混入されている。吸収性コア１１の横方向における長さ（つまり吸収性コア１１の幅）は、股下部５において、腹側胴回り部３及び背側胴回り部４よりも狭くなった部分を有しており、股下部５には横方向の内側に凹んだ凹み部１１ｃが形成されている。コアラップシート１２は、吸収性コア１１の外周面を被覆する液透過性のシート部材であり、ティッシュペーパーや不織布等を使用可能である。
【００３６】
また、吸収性コア１１の表面には、複数の点状圧搾部１５が設けられている（図１及び、図３では不図示）。図４は、点状圧搾部１５の配置について説明する図である。各々の点状圧搾部１５は、吸収性コア１１の厚さ方向に対してエンボス加工等の公知の圧搾手段を用いて形成されており、点状圧搾部１５が形成されている部分では、点状圧搾部１５が形成されていない部分と比較して吸収性コア１１の密度が高くなると共に厚みが薄くなっている。
【００３７】
複数の点状圧搾部１５は、吸収性コア１１の長手方向（上下方向）及び横方向に所定の間隔を有しつつ、横方向の中央位置から左右対称となるように配置されている。具体的に、図４の破線で囲まれた領域Ｃにおいて、横方向に沿った直線Ｌ１〜Ｌ４、及び、長手方向に沿った直線Ｓ０〜Ｓ３の上に、８つの点状圧搾部１５０〜１５７が配置されている。直線Ｌ１〜Ｌ４は、長手方向において均等な間隔ｄｌ１を空けて並んでおり、直線Ｓ０〜Ｓ３は、横方向において、大小２種類の間隔ｄｓ１，ｄｓ２（ｄｓ１＞ｄｓ２）を空けて並んでいる。本実施形態では、間隔ｄｌ１＝７．０ｍｍ、間隔ｄｓ１＝８．５ｍｍ、間隔ｄｓ２＝４．２５ｍｍ程度としている。
【００３８】
長手方向に隣り合う２つの点状圧搾部１５の間隔は２×ｄｌ１である。例えば、直線Ｓ１上に配置されている点状圧搾部１５１と１５５との長手方向における間隔、及び、直線Ｓ２上に配置されている点状圧搾部１５２と１５６との長手方向における間隔は、共に２×ｄｌ１である。つまり、点状圧搾部１５は長手方向において均等なピッチで配置されている。一方、横方向に隣り合う２つの点状圧搾部１５の間隔は、均一ではない。例えば、直線Ｌ１上に配置されている点状圧搾部１５０と１５１との横方向における間隔はｄｓ１（第１のピッチとする）であるが、点状圧搾部１５１とその右隣に配置された点状圧搾部１５８との横方向における間隔は（３×ｄｓ１＋２×ｄｓ２：第２のピッチとする）である。また、直線Ｌ２上に配置されている点状圧搾部１５２と１５３との横方向における間隔はｄｓ１（第１のピッチ）であるが、点状圧搾部１５２とその左隣に配置された点状圧搾部１５９との横方向における間隔は（ｄｓ１＋２×ｄｓ２：第３のピッチとする）である。つまり、点状圧搾部１５は横方向において複数種類のピッチ（上述の第１〜第３のピッチ）で配置されている。言い換えると、点状圧搾部１５は横方向において不均一なピッチで配置されている部分を有する。
【００３９】
おむつ１は、着用時において図２に示されるようなパンツ型の形状となっているが、このとき、平面状の吸収性コア１１（吸収性本体１０）を着用者の身体形状に合わせて適切に変形させることにより、おむつ１のフィット性を向上させると共に排泄物の漏れを抑制しやすくすることができる。本実施形態の吸収性コア１１は、点状圧搾部１５を複数有することにより、各々の点状圧搾部１５が折れ曲がりの基点となり、おむつ１の着用時において吸収性コア１１が自然に変形しやすくなっている。
【００４０】
先ず、各々の点状圧搾部１５が長手方向について均等なピッチで設けられているため、吸収性コア１１は長手方向について折れ曲がり基点が均等に形成されやすい。すなわち、長手方向の全体に亘って偏りなく変形しやすい。おむつ１の着用時において、吸収性コア１１の長手方向は、着用者の腹側から股下部を介して背側に丸く変形させる必要がある。したがって、本実施形態のように長手方向に偏りなく変形させやすくすることにより、吸収性コア１１が身体の丸みに沿って無理なくフィットしやすくなる。
【００４１】
次に、各々の点状圧搾部１５は横方向について不均等なピッチで設けられているため、吸収性コア１１は横方向について折れ曲がり基点が形成されやすい領域と形成されにくい領域とが存在することになる。おむつ１の着用時において、吸収性コア１１の横方向は、例えば、着用者の股下と当接する部分では平面状に、股下から鼠蹊部にかけては曲面状に変形させる必要がある部分である。したがって、本実施形態のように横方向における点状圧搾部１５のピッチが狭く折れ曲がり基点が密に形成される部分と、点状圧搾部１５のピッチが広く折れ曲がり基点が疎に形成される部分とが混在することにより、吸収性コア１１を集中的に変形させたり、平面形状から変形しにくくしたりすることができる。すなわち、着用者の身体形状に合わせて平面を維持しつつ横方向に自在に変形しやすくすることができる。これにより、吸収性コア１１が身体にフィットしやすくなる。
【００４２】
また、着用者の身体は、股下部において複雑な曲面を構成している一方で、胴回り部付近では比較的平面に近い形状をしている。これに対して、本実施形態の吸収性コア１１は、点状圧搾部１５が配置されている密度が高い部分と低い部分とが存在する。言い換えると、単位面積あたりに配置されている点状圧搾部の数が多い部分と少ない部分とを有する。例えば、図４の２点鎖線で囲まれた領域Ｄ及びＥは、共に同じ面積を有する領域であるが、領域Ｄには３つの点状圧搾部１５が配置されているのに対して、領域Ｅには６つの点状圧搾部１５が配置されており、吸収性コア１１における点状圧搾部１５の密度は領域Ｅの方が領域Ｄよりも高くなっている。すなわち、領域Ｅの方が領域Ｄよりも折れ曲がり基点が形成されやすく、曲面状に変形しやすくなっている。このように、同一平面状に変形しやすい領域（例えば領域Ｅ）と変形しにくい領域（例えば領域Ｄ）とを有することにより、吸収性コア１１が特定の方向にのみ変形しやすくなる（変形癖が付く）ことが抑制される。つまり、吸収性コア１１の変形が不規則になり、身体の複雑な曲面に沿いやすくなる。したがって、おむつ１の着用時において、着用者の身体に対して吸収性コア１１を面でフィットさせやすくすることができる。また、着用者の身体の動きに対する吸収性コア１１の追従性が高くなる。
【００４３】
トップシート２０は、吸収性本体１０の厚さ方向の肌側に配置され、おむつ１の着用時に着用者の肌と当接する液透過性のシート部材である。本実施形態のトップシート２０は、例えば、エアスルー不織布やスパンボンド不織布等によって形成される。
【００４４】
バックフィルム２５は、吸収性本体１０の非肌側に配置された液不透過性かつ透湿性のシート部材であり、例えば樹脂フィルムによって形成される。バックフィルム２５が設けられることによって、吸収性本体１０によって吸収された尿等の水分が着用者の衣服側（非肌側）に移動（浸透）することが抑制される。また、バックフィルム２５の非肌側に不織布等のインナーバックシート（図３では不図示）が積層されていても良い。
【００４５】
バックシート３０は、吸収性本体１０よりも厚さ方向の非肌側に配置され、おむつ１の外層を構成するシート部材であり、腹側胴回り部３及び背側胴回り部４を構成する部材でもある。本実施形態において、バックシート３０は上側外層シート３２及び下側外層シート３３を有する（図３参照）。上側外層シート３２及び下側外層シート３３は、厚さ方向に重ねられつつバックフィルム２５及び防漏壁５０の非肌側端部よりも非肌側に配置される柔軟なシート状部材であり、例えばスパンボンド不織布等によって形成される。上側外層シート３２及び下側外層シート３３は、少なくとも腹側胴回り部３及び背側胴回り部４において共に同じ形状であり、全体としては図１に示されるような略砂時計形状を有している。
【００４６】
上側外層シート３２及び下側外層シート３３の厚さ方向の間には、糸ゴム等の弾性部材が設けられている。本実施形態では、図１に示されるように、おむつ１の腹側胴回り部３（腹側サイドエッジ部３ｅｓ，３ｅｓの間の領域）において、複数の腹側胴回り弾性部材３５ａが所定の伸長倍率で横方向に伸長された状態で上側外層シート３２と下側外層シート３３との間に挟まれて接合されている。この腹側胴回り弾性部材３５ａによって、おむつ１の腹側胴回り部３に横方向の伸縮性が付与される。
【００４７】
なお、弾性部材の「伸長倍率」とは、弾性部材（糸ゴム）の自然長を１としたときの伸び度合いを示したものであり、例えば伸長倍率が１．２の場合、弾性部材は自然長から０．２だけ伸張していることになる。
【００４８】
また、腹側胴回り部３のうち、腹側胴回り弾性部材３５ａが配置されているよりも上下方向の下側の領域であって上下方向の下端部（すなわち、おむつ１をパンツ型に形成した場合に脚回り開口ＬＨに沿った部分）には、腹側胴回り下端部弾性部材３６ｌｇ（以下、単に「弾性部材３６ｌｇ」とも呼ぶ）が所定の伸長倍率で横方向に伸長された状態で上側外層シート３２と下側外層シート３３との間に挟まれて接合されている。この弾性部材３６ｌｇによって、腹側胴回り部３の下端部に脚回り開口ＬＨに沿った伸縮性が付与される。この弾性部材３６ｌｇは、横方向の両側において横方向に沿って配置された直線部３６ｌｇｓと、直線部３６ｌｇｓの間において横方向の外側から内側に向かって斜め上方に傾斜する傾斜部３６ｌｇｃを有している。傾斜部３６ｌｇｃは、少なくとも一部が厚さ方向において吸収性本体１０と重複して配置されている。そして、傾斜部３６ｌｇｃは、横方向の中央部において少なくとも一部が非連続となっている。したがって、非連続部となっている領域では、腹側胴回り部３や吸収性本体１０に対して弾性部材３６ｌｇの伸縮性が作用していない。弾性部材３６ｌｇの機能やその作用については後で説明する。
【００４９】
一方、おむつ１の背側胴回り部４（背側サイドエッジ部４ｅｓ，４ｅｓの間の領域）において、上側外層シート３２及び下側外層シート３３の厚さ方向の間には、複数の背側胴回り弾性部材３５ｂが所定の伸長倍率で横方向に伸長された状態で上側外層シート３２と下側外層シート３３との間に接合されている。この背側胴回り弾性部材３５ｂによって、おむつ１の背側胴回り部４に横方向の伸縮性が付与される。また、背側胴回り部４の上下方向下端部（おむつ１をパンツ型に形成した場合に脚回り開口ＬＨに沿った部分）には、背側胴回り下端部弾性部材３７ｌｇ（以下、単に「弾性部材３７ｌｇ」とも呼ぶ）が所定の伸長倍率で伸長された状態で上側外層シート３２と下側外層シート３３との間に挟まれて接合されている。この弾性部材３７ｌｇによって、背側胴回り部４の下端部に脚回り開口ＬＨに沿った伸縮性が付与される。
【００５０】
防漏壁５０は、吸収性本体１０の横方向両端部から着用者の肌側に起立することで、吸収性本体１０に排泄された尿等の排泄物がおむつ１の外部に漏出するのを抑制する立体ギャザー部に相当する。防漏壁５０には糸ゴム等の防漏壁弾性部材５５が長手方向に沿って所定の伸長倍率で伸長された状態で接合されており、おむつ１の着用時には当該防漏壁弾性部材５５の伸縮性の作用によって防漏壁５０が肌側に起立して、着用者の脚回り（鼠蹊部）に沿ってフィットする。
【００５１】
＜おむつ１のフィット性について＞
続いて、腹側胴回り部３に設けられた腹側胴回り下端部弾性部材３６ｌｇ（弾性部材３６ｌｇ）及び腹側胴回り弾性部材３５ａによる作用について説明する。図５は、展開かつ伸長状態である腹側胴回り部３を拡大して表した平面図である。上述したように、弾性部材３６ｌｇは直線部３６ｌｇｓと傾斜部３６ｌｇｃとを有し、また、横方向の中央部の少なくとも一部が非連続となっている。
【００５２】
おむつ１の製造過程において弾性部材３６ｌｇに非連続部を形成する際には、先ず、腹側胴回り部３においてバックシート３０の上側外層シート３２及び下側外層シート３３の厚さ方向の間の所定の領域にホットメルト接着剤等の接着剤を塗布することにより、接着領域６６（弾性部材接着領域６６）を形成する。そして、弾性部材３６ｌｇを横方向及び斜め方向に伸長させた状態で当該接着領域と重なるように配置することで、腹側胴回り部３に弾性部材３６ｌｇを接合する。図５では、主に直線部３６ｌｇｓを接合するための直線部接着領域６６ｓと、主に傾斜部３６ｌｇｃを接合するための傾斜部接着領域６６ｃとが網掛けで示されている。
【００５３】
次いで、横方向の中央部の所定の箇所で弾性部材３６ｌｇを切断する。言い換えると、横方向において左右一対の傾斜部接着領域６６ｃ，６６ｃの間の領域で、弾性部材３６ｌｇを切断する。すると、弾性部材３６ｌｇは、図５の矢印で示されるように、切断された箇所（切断端）から横方向両側の傾斜部接着領域６６ｃに向けて収縮を開始し、傾斜部接着領域６６ｃにて収縮を停止する。この動作を弾性部材の「カットバック」とも言う。本実施形態では、横方向において傾斜部接着領域６６ｃ，６６ｃの間の領域では、弾性部材３６ｌｇが接着されていない（もしくは、伸縮力が作用しない程度の弱い接着力で接着されている）。したがって、弾性部材３６ｌｇがカットバックする際には、腹側胴回り部３を構成する上側外層シート３２及び下側外層シート３３は収縮せず、弾性部材３６ｌｇのみが傾斜部接着領域６６ｃの傾斜方向に沿って斜め下側へ収縮する。言い換えると弾性部材３６ｌｇが腹側胴回り部３に対して相対的に変位する。これにより、おむつ１の横方向中央部において弾性部材３６ｌｇの非連続部が形成される。
【００５４】
図６は、おむつ１の着用時において弾性部材３６ｌｇによる力の作用について説明する図である。おむつ１の着用時には、胴回り開口ＢＨを広げる動作を行う際に、腹側胴回り部３が横方向に引き伸ばされることによって弾性部材３６ｌｇが横方向に伸長し、腹側胴回り部３の上下方向下端部の脚回りに沿って収縮力を発現させる。この収縮力によって腹側胴回り部３が着用者の身体にフィットする。したがって、弾性部材３６ｌｇのうち、直線部３６ｌｇｓ及び傾斜部３６ｌｇｃの横方向外側端部は着用者の胴回り（脚回り）に沿ってフィットした（固定された）状態となっている。一方、傾斜部３６ｌｇｃの横方向内側端部３６ｃｅは、切断されてカットバックした自由端側であり、着用者の胴回りに固定されていない。したがって、弾性部材３６ｌｇの収縮力の作用により、傾斜部３６ｌｇｃの横方向内側端部３６ｃｅには横方向の内側から外側、かつ、上下方向の上側から下側に向かう力Ｆ３６が作用する。そして、力Ｆは、図６のように横方向外側に向かう力Ｆ３６ｓと、上下方向下側に向かう力Ｆ３６ｖとに分解することができる。
【００５５】
おむつ１の着用時においては、横方向外側に向かう力Ｆ３６ｓによって、腹側胴回り部３及び吸収性本体１０（吸収性コア１１）のうち、厚さ方向において横方向内側端部３６ｃｅと重複している領域が横方向の外側に引っ張られる。これにより、吸収性本体１０（吸収性コア１１）が腹側胴回り部３と共に横方向に拡幅され、おむつ１の腹側において尿等の排泄物が吸収性本体１０から漏れにくくすることができる。
【００５６】
また、上下方向下側に向かう力Ｆ３６ｖによって、腹側胴回り部３及び吸収性本体１０（吸収性コア１１）のうち、厚さ方向において横方向内側端部３６ｃｅと重複している領域が下側に引っ張られる。ここで、腹側胴回り部３のうち、上下方向の上端部３ｕｅ（吸収性本体１０の上端よりも上側の領域）では、腹側胴回り弾性部材３５ａが横方向に連続して設けられているため（図５参照）、該弾性部材３５ａの伸縮力によって上端部３ｕｅは着用者の腹部にしっかりとフィットしている。一方、腹側胴回り部３の上下方向の下端部は、力Ｆ３６ｖによって下側に引っ張られる。したがって、腹側胴回り弾性部材３５ａは上端部３ｕｅが固定された状態で下端部が下側に引っ張られる。これにより、腹側胴回り部３は上下方向に拡幅されやすくなる。
【００５７】
従来の使い捨ておむつでは、着用者が前傾姿勢を取る等身体を動かした場合に、腹側胴回り部３に相当する胴回りベルト部が上下方向に撓んだり捲れが生じたりしやすいという問題があった。これに対して、本実施形態のおむつ１では、着用時において腹側胴回り部３を上下方向に拡幅する力が作用することにより、撓みや捲れが生じにくく、腹側胴回り部３のフィット性を向上させることができる。そして、腹側胴回り部３が拡幅された状態で着用者の身体にしっかりとフィットすることにより、吸収性本体１０をより強く支持することができる。例えば、吸収性本体１０が排泄物を吸収して重量が増加した場合であっても、腹側胴回り部３が着用者の身体からずれにくいため、吸収性本体１０が下方に垂れ下がるのに抗することが可能となり、排泄物の漏れ等を抑制しやすくすることができる。
【００５８】
また、上述したように、本実施形態の吸収性コア１１は複数の点状圧搾部１５によって折れ曲がり基点が形成されやすいことから、着用者の身体の形状に合わせて変形しやすい一方で、着用者が身体を動かした場合に、表面に多数の皺が形成されたり折れ曲がったりしやすく、排泄物の漏れを引き起こすおそれがある。しかし、力Ｆ３６ｖ及び力Ｆ３６ｓが吸収性コア１１に対しても作用することによって、吸収性コア１１が拡幅され、着用者の身体にフィットしやすくなる。これにより、排泄物の漏れ等を効率的に抑制することができる。
【００５９】
次に、腹側胴回り弾性部材３５ａについて説明する。腹側胴回り弾性部材３５ａは、長手方向において吸収性本体１０と重複する領域において、横方向中央部の少なくとも一部が非連続となっている。この非連続部は、上述した弾性部材３６ｌｇの場合と同様に、横方向の中央部において腹側胴回り弾性部材３５ａを切断し、カットバックさせることによって形成される。具体的には、上述した接着領域６６と同様にして横方向の左右に一対形成されている接着領域６５，６５（胴回り弾性部材接着領域６５）の間で、腹側胴回り弾性部材３５ａを切断することにより、該腹側胴回り弾性部材３５ａを切断端から横方向両側の接着領域６５に向けて収縮させる（図５参照）。
【００６０】
腹側胴回り弾性部材３５ａの一部が横方向の中央部において非連続となっていることにより、弾性部材３６ｌｇの場合と同様に、腹側胴回り弾性部材３５ａの横方向内側端部３５ｃｅ（すなわち切断端を含む部分）には横方向の内側から外側に向かう力Ｆ３５が作用する（図６参照）。したがって、腹側胴回り部３及び吸収性本体１０のうち、厚さ方向において横方向内側端部３５ｃｅと重複している領域が横方向の外側に引っ張られる。これにより、吸収性本体１０が横方向に拡幅されやすくなり、おむつ１の腹側において尿等の排泄物が吸収性本体１０から漏れにくくすることができる。
【００６１】
なお、腹側胴回り弾性部材３５ａの横方向内側端部３５ｃｅの位置と、側胴回り下端部弾性部材３６ｌｇ（弾性部材３６ｌｇ）の横方向内側端部３６ｃｅの位置とは、横方向において異なっている。そのため、横方向において腹側胴回り弾性部材３５ａによる収縮力が作用する範囲と、弾性部材３６ｌｇによる収縮力が作用する範囲とは異なっている。図５及び図６の例では、弾性部材３６ｌｇの横方向内側端部３６ｃｅが、腹側胴回り弾性部材３５ａの横方向内側端部３５ｃｅよりも横方向の内側に位置している。これは、弾性部材３６ｌｇのカットバックを停止させる接着領域６６（傾斜部接着領域６６ｃ）が形成されている範囲と、腹側胴回り弾性部材３５ａのカットバックを停止させる接着領域６５が形成されている範囲とが異なるからである。
【００６２】
このように、接着領域６５，６６の形成範囲を異ならせることにより、腹側胴回り弾性部材３５ａによる力Ｆ３５が作用する範囲と、弾性部材３６ｌｇによる力Ｆ３６が作用する範囲とを異ならせることができる。特に、弾性部材３６ｌｇによって作用する力Ｆ３６は、下方向の下側に向かう成分（Ｆ３６ｖ）を有しているため、接着領域６６の形成範囲を調整することによって、力Ｆ３６が作用する範囲を調整することができる。これにより、腹側胴回り部３が下側に引っ張られる際の力の作用点や大きさを変更し、着用対象者のフィット感を向上させることができるようになる。例えば、着用対象者の年齢や身体の大きさに応じて、腹側胴回り部３の上下方向における拡幅強さを調整すること等が可能となる。
【００６３】
なお、腹側胴回り弾性部材３５ａの横方向内側端部３５ｃｅは、横方向において吸収性本体１０と重複しているが、吸収性コア１１とは必ずしも重複していなくても良い。弾性部材３５ａと吸収性コア１１とが重複しない場合、腹側胴回り弾性部材３５ａの伸縮性によって発現する力Ｆ３５は、吸収性本体１０の横方向両端部には作用するが、吸収性コア１１には作用しにくい。吸収性コア１１は剛性が高いため、仮に、腹側胴回り弾性部材３５ａが吸収性コア１１と重複していた場合、腹側胴回り弾性部材３５ａが横方向に収縮しにくくなることがある。この場合、腹側胴回り部３の横方向における収縮量が小さくなるため、おむつ１着用時における腹側胴回り部３のフィット性が悪化するおそれがある。これに対して、腹側胴回り弾性部材３５ａが吸収性コア１１と重複しないようにすれば、腹側胴回り部３の横方向の広範囲に亘って収縮しやすくなり、おむつ１着用時における腹側胴回り部３のフィット性を向上させることができる。
【００６４】
また、図５の例では、接着領域６５と接着領域６６（傾斜部接着領域６６ｃ）とが互いにずれた位置に形成されている。すなわち、接着領域６５と接着領域６６とは厚さ方向において重複していない。これにより、腹側胴回り弾性部材３５ａの収縮力による力Ｆ３５と、側胴回り下端部弾性部材３６ｌｇ（弾性部材３６ｌｇ）の収縮力による力Ｆ３６とが互いに独立して作用するようになる。言い換えると、腹側胴回り弾性部材３５ａによる力Ｆ３５と、弾性部材３６ｌｇによる力Ｆ３６とが互いに干渉しにくくなる。仮に、それぞれの力が干渉し、例えば弾性部材３６ｌｇに対して、腹側胴回り弾性部材３５ａによる横方向の収縮力が作用したとすると、吸収性本体１０や腹側胴回り部３が引っ張られる方向が変わってしまい、想定される拡幅効果が得られなくなったり、各弾性部材３５ａ，３６ｌｇによる締め付けが局所的にきつくなったりするおそれがある。これに対して、本実施形態のように力Ｆ３５と力Ｆ３６とが互いに干渉しにくくすることによって、力Ｆ３５と力Ｆ３６とを上述したように腹側胴回り部３に対してそれぞれ正確に作用させやすくなり、腹側胴回り部３のフィット性をより向上させることができる。
【００６５】
＜変形例＞
図４で、吸収性コア１１に設けられる複数の点状圧搾部１５の配置について説明したが、点状圧搾部１５の配置は、図４に示される限りではない。図７は、点状圧搾部１５の配置の変形例について説明する図である。
【００６６】
図７の例では、図４の場合と同様に、横方向に沿った直線Ｌ１〜Ｌ４が長手方向において均等な間隔ｄｌ１を空けて並んでおり、長手方向に沿った直線Ｓ０〜Ｓ３が横方向において大小２種類の間隔ｄｓ１，ｄｓ２（ｄｓ１＞ｄｓ２）を空けて並んでいる。そして、長手方向に隣り合う２つの点状圧搾部１５，１５の間隔は２×ｄｌ１であり、横方向に隣り合う２つの点状圧搾部１５，１５の間隔は、ｄｓ１（第１のピッチ）とｄｓ１＋２×ｄｓ２（第３のピッチ）とが繰り返されるように、各点状圧搾部１５が配置されている。したがって、図４の場合と同様に、長手方向について均等に設けられた点状圧搾部１５によって、吸収性コア１１を長手方向に偏りなく変形させやすくすることができる。また、横方向について不均等に設けられた点状圧搾部１５によって、吸収性コア１１を横方向に集中的に変形させたり、平面形状から変形しにくくしたりすることができる。
【００６７】
一方、図４では点状圧搾部１５の横方向の間隔が３種類であったのに対して、図７に示されるように本変形例では点状圧搾部１５の横方向の間隔が２種類であり、吸収性コア１１の表面全体において点状圧搾部１５の配置がより均等に近くなっている。すなわち、単位面積あたりに配置されている点状圧搾部の数が均等になりやすく、図４の場合よりも吸収性コア１１が平面形状を維持しやすくなっている。
【００６８】
このように点状圧搾部１５の配置を適宜変更することによって、着用時における吸収性コア１１の変形しやすさを調整することが可能となる。例えば、着用対象者が身体の大きい成人男性である場合は吸収性コア１１が平面を維持しやすくなるようにして広い面積でフィット性を高めることを優先する。一方、着用対象者が身体の小さい幼児である場合は、吸収性コア１１が複雑に変形しやすくなるようにして曲面へのフィット性を高めることを優先する等、吸収性コア１１のフィット性を最適な状態に調整することができる。もちろん、点状圧搾部１５の配置は図7の変形例に限られるものではなく、他の配置としても良い。
【００６９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７０】
上述の実施形態では、複数の点状圧搾部１５を有する吸収性コア１１を備えた吸収性本体１０が説明されていたが、吸収性本体１０の構成はこの限りではない。例えば、吸収性コア１１が点状圧搾部１５を有していない構成であっても良いし、吸収性コア１１の表面に点状圧搾部１５とは異なる低目付部や低密度部（例えば線状の溝等）が形成されているのであっても良い。また、吸収性コア１１が厚さ方向に積層された多層構造を有する吸収性本体１０であっても良い。これらの場合であっても、上述した傾斜部３６ｌｇｃによる効果により、腹側胴回り部３のフィット性を向上させることは可能である。
【００７１】
上述の実施形態では、おむつ１の横方向中央に対して、弾性部材３６ｌｇが左右対称に配置されていたが（図１参照）、弾性部材３６ｌｇが左右非対称に配置されているのであっても良い。例えば、傾斜部３６ｌｇｃの横方向に対する傾斜角度や、傾斜部３６ｌｇｃの長さが左右で異なっていても良い。このような左右非対称な弾性部材３６ｌｇであれば、腹側胴回り部３に作用する力の大きさや方向を調整することが可能となる。これにより、例えば、片手が麻痺してしまっている人を着用対象者とする場合に、横方向の一方側ではおむつ１（腹側胴回り部３）を引き上げる動作を行いやすくすることを重視し、横方向の他方側では腹側胴回り部３のフィット性を向上させることを重視する等、着用対象者の状況に応じて、おむつ１着用時における最適なフィット性を実現しやすくなる。
【００７２】
また、弾性部材３６ｌｇは、傾斜部３６ｌｇｃと直線部３６ｌｇｓとの接続部が所定の曲率で湾曲していても良い。言い換えると、弾性部材３６ｌｇは、傾斜部３６ｌｇｃと直線部３６ｌｇｓとの間が湾曲した湾曲部３６ｗを有していても良い（図１参照）。このような湾曲部３６ｗによって傾斜部３６ｌｇｃと直線部３６ｌｇｓとが滑らかに接続されることで、直線部３６ｌｇｓによる伸縮力と傾斜部３６ｌｇｃによる伸縮力とがスムーズに連動しやすくなり、腹側胴回り部３を全体として着用者の身体にフィットさせやすくすることができる。このとき、おむつ１の横方向中央に対して、湾曲部３６ｗの曲率が左右で異なっていても良い。上述した傾斜部３６ｌｇｃの傾斜角度が異なる場合と同様に、弾性部材３６ｌｇを左右非対称に配置することにより、着用対象者の状況（例えば、片手が麻痺している人等）に応じて、おむつ１着用時における最適なフィット性を実現しやすくすることができる。
【００７３】
上述の実施形態では、胴回り弾性部材や防漏壁弾性部材として、糸ゴムを用いる例について説明されていたが、これらの弾性部材は所謂糸ゴム等の線状弾性部材に限られるものではない。例えば、所定の幅を有する平面状（帯状の）弾性部材が用いられても良い。また、防漏壁やバックシートを構成するシート部材を、伸縮性を有するシート部材（例えば伸縮性不織布）とすることで、糸ゴム等の弾性部材を別途設ける必要のない構成としても良い。
【符号の説明】
【００７４】
１  おむつ（パンツ型使い捨ておむつ）、
３  腹側胴回り部、３ｅｓ  腹側サイドエッジ部、３ｕｅ  上端部、
４  背側胴回り部、４ｅｓ  背側サイドエッジ部、
５  股下部、
１０  吸収性本体、
１１  吸収性コア、１１ｃ  凹み部、１２  コアラップシート、
１５  点状圧搾部、１５１〜１５９  点状圧搾部、
２０  トップシート、２５  バックフィルム、
３０  バックシート、
３２  上側外層シート、３３  下側外層シート、
３５ａ  腹側胴回り弾性部材、３５ｃｅ  横方向内側端部、
３５ｂ  背側胴回り弾性部材、
３６ｌｇ  腹側胴回り下端部弾性部材（弾性部材）
３６ｌｇｓ  直線部、３６ｌｇｃ  傾斜部、横方向内側端部  ３６ｃｅ、３６ｗ  湾曲部、
３７ｌｇ  下端部弾性部材（弾性部材）、
５０  防漏壁、５５  防漏壁弾性部材、
６５  接着領域（胴回り弾性部材接着領域）、
６６  接着領域（弾性部材接着領域）、
６６ｓ  直線部接着領域、６６ｃ  傾斜部接着領域、
ＢＨ  胴回り開口、ＬＨ  脚回り開口、
ＣＬ１０  所定位置
【図１】
2018099439.tif 000003
【図２】
2018099439.tif 000004
【図３】
2018099439.tif 000005
【図４】
2018099439.tif 000006
【図５】
2018099439.tif 000007
【図６】
2018099439.tif 000008
【図７】
2018099439.tif 000009